(57)【要約】【課題】照明範囲が小さい場合であってもグラデーションの効果を出すことができ、その変化も柔軟に変えることが可能な技術を提供する。【解決手段】光を照射する照射部材と、該照射部材から照射された光を拡散する拡散部材とを備えた照明装置であって、前記照射部材は、基板上に設けられた発光部と、前記基板上に設けられ、前記発光部から照射された光の一部を前記拡散部材に到達する前に遮断する遮光部と、を備えている。【選択図】図７
2016031404.tif 000002
【特許請求の範囲】
【請求項１】
光を照射する照射部材と、該照射部材から照射された光を拡散する拡散部材とを備えた照明装置であって、
前記照射部材は、
基板上に設けられた発光部と、
前記基板上に設けられ、前記発光部から照射された光の一部を前記拡散部材に到達する前に遮断する遮光部と、
を備えていることを特徴とする照明装置。
【請求項２】
請求項１に記載の照明装置において、
前記遮光部は、四角柱状の形状をしており、上面が傾斜していることを特徴とする照明装置。
【請求項３】
請求項２に記載の照明装置において、
前記遮光部の上面は、前記発光部側に向かって下り勾配で傾斜していることを特徴とする照明装置。
【請求項４】
請求項２又は３に記載の照明装置において、
前記遮光部は、前記発光部側に凹部を有していることを特徴とする照明装置。
【請求項５】
入射した光を拡散する拡散部材を有する照明装置に用いられる照射部材であって、
基板上に設けられた発光部と、
前記基板上に設けられ、前記発光部から照射された光の一部を前記拡散部材に到達する前に遮断する遮光部と、
を備えていることを特徴とする照射部材。
【発明の詳細な説明】
【技術分野】
【０００１】
本発明は、主として電子機器などを照明する技術に関する。
【背景技術】
【０００２】
従来より、電子機器のパネルに光を照射してパネルを照明する照明装置が用いられている。例えば、照明装置がパネルの裏側から光を照射して、パネルの全部又は一部を所望の色に照明したり、文字部分を光らせたりする。このような照明装置としては、例えば図１に示すものがある。
【０００３】
図１は、電子機器の断面の一例を示す図である。図１の電子機器は、筐体１０１の前面にパネル１０２が設けられており、この筐体１０１の内部には、基板１０３と、基板１０３上設けられたＬＥＤ１０４と、拡散板１０５とからなる照明装置が設けられている。
【０００４】
図１に示す電子機器では、ＬＥＤ１０４から照射された光が拡散板１０５によって拡散され、この拡散された光がパネル１０２に照射される。これにより、パネル１０２は電子機器の内側から照明される。すなわち、電子機器の外側から見れば、パネル１０２はライトアップされた状態になっている。なお、本発明と関連する技術としては、例えば、特許文献１がある。
【先行技術文献】
【特許文献】
【０００５】
【特許文献１】特開2008-51730号公報
【発明の概要】
【発明が解決しようとする課題】
【０００６】
ところで、電子機器の照明には演出的な要素を取り入れる場合もある。演出照明の例としては明るさの濃淡（以下「グラデーション」と記載する場合もある。）をつける方法がある。図１の電子機器を例に挙げて説明すると、ＬＥＤ１０４が設けられている近傍のパネル１０２部分を明るくし、ＬＥＤ１０４から遠ざかるにつれて暗くするといった照明である。
【０００７】
しかしながら、従来の技術では、グラデーションの効果を出すために、ＬＥＤ１０４の光の自然な減光を利用していた。つまり、ＬＥＤ１０４の光が届きにくくなるにつれて暗くなるといった効果を利用していた。このため、ＬＥＤ１０４の光が減光する程度にパネル１０２が十分に大きい場合でないとグラデーションの効果を出すことができなかった。換言すれば、小さいパネルなどのように照明範囲が小さい場合にはグラデーションの演出照明は使用できなかった。
【０００８】
さらに、自然な減光を利用してグラデーションの効果を出すことができる場合であっても、その濃淡の変化はほぼ一定である。このため、短い範囲で濃淡の違いを出すといったグラデーションの変化を柔軟に変えることができなかった。
【０００９】
本発明は、上記課題に鑑みてなされたものであり、小さいパネルなどのように照明範囲が小さい場合であってもグラデーションの効果を出すことができ、その変化も柔軟に変えることが可能な技術を提供することを目的とする。
【課題を解決するための手段】
【００１０】
上記課題を解決するため、請求項１の発明は、光を照射する照射部材と、該照射部材から照射された光を拡散する拡散部材とを備えた照明装置であって、前記照射部材は、基板上に設けられた発光部と、前記基板上に設けられ、前記発光部から照射された光の一部を前記拡散部材に到達する前に遮断する遮光部と、を備えている照明装置である。
【００１１】
また、請求項２の発明は、請求項１に記載の照明装置において、前記遮光部は、四角柱状の形状をしており、上面が傾斜している。
【００１２】
また、請求項３の発明は、請求項２に記載の照明装置において、前記遮光部の上面は、前記発光部側に向かって下り勾配で傾斜している。
【００１３】
また、請求項４の発明は、請求項２又は３に記載の照明装置において、前記遮光部は、前記発光部側に凹部を有している。
【００１４】
また、請求項５の発明は、入射した光を拡散する拡散部材を有する照明装置に用いられる照射部材であって、基板上に設けられた発光部と、前記基板上に設けられ、前記発光部から照射された光の一部を前記拡散部材に到達する前に遮断する遮光部と、を備えている照射部材である。
【発明の効果】
【００１５】
請求項１ないし５の発明によれば、拡散部材に到達する前に光の一部を遮断する遮光部を備えているので、照射された光を意図的に減光させることが可能になる。このため、照射範囲の小さい場合などであっても、グラデーションの効果を出すことができる。
【００１６】
また、特に請求項２又は３の発明によれば、遮光部の上面が傾斜しているので、遮断する光量の調整ができ、濃淡の変化を柔軟に変えることが可能になる。
【００１７】
また、特に請求項４の発明によれば、遮光部の発光部側に凹部を有しているので、意図的に減光させる位置を変えることができる。その結果、適切な位置からグラデーション効果を出すことが可能になる。
【図面の簡単な説明】
【００１８】
【図１】図１は、従来の照明装置を説明する図である。
【図２】図２は、照明装置の使用状態の概要を示す図である。
【図３】図３は、照明装置の使用状態の概要を示す図である。
【図４】図４は、照明装置の概略構成を示す図である。
【図５】図５（ａ）は、照射部の斜視図であり、図５（ｂ）は、照射部の側面図である。
【図６】図６（ａ）は、拡散部の斜視図であり、図６（ｂ）は、拡散部の断面図である。
【図７】図７は、照明装置の概略構成を示す図である。
【図８】図８は、照明装置の概略構成を示す図である。
【図９】図９（ａ）は、照射部の斜視図であり、図９（ｂ）は、照射部の平面図である。
【図１０】図１０は、照明装置の使用状態の概要を示す図である。
【発明を実施するための形態】
【００１９】
以下、図面を参照しつつ本発明の実施の形態について説明する。
【００２０】
＜１．第１の実施の形態＞
図２は、第１の実施の形態に係る照明装置の使用状態の一例を示す図である。本実施の形態では、カーナビゲーション装置を例に挙げて説明する。図２は、カーナビゲーション装置の一部の領域を照明している例である。
【００２１】
図２に示すカーナビゲーション装置は、前面にパネルを有しており、このパネルは表示領域Ｄと操作領域Ｔとに分けられる。表示領域Ｄは、パネルの略中央部分のディスプレイが設けられている領域であり、操作領域Ｔは、カーナビゲーション装置のボタン等が設けられている領域である。図２に示す例では、操作領域Ｔは、カーナビゲーション装置を正面から見たときの右側端部の領域である。
【００２２】
本実施の形態のカーナビゲーション装置の操作領域Ｔには、タッチ式のボタンが複数配置されている。複数のボタンは、例えば、「現在地」や「ＭＥＮＵ」等のボタンである。これらのボタンをユーザがタッチすることでそのボタンに対応した処理を実行することが可能になる。
【００２３】
また、カーナビゲーション装置の操作領域Ｔの内部には、照明装置が設けられている。これにより、操作領域Ｔは、カーナビゲーション装置の内部から照明装置を用いて照明されるようになっている。つまり、操作領域Ｔは、照明装置によってライトアップされている。
【００２４】
図３は、カーナビゲーション装置の表示領域Ｄの一部と操作領域Ｔとを拡大した図である。図３に示すように、操作領域Ｔは、さらに均一領域Ｕと濃淡領域Ｇとに分けられる。
【００２５】
均一領域Ｕは、照明装置によって全体が均一に照明される領域であり、本実施の形態では、タッチ式のボタンが配置されている領域である。また、均一領域Ｕは、例えば赤色などの色に照明されていて、ボタンに対応する「現在地」や「ＭＥＮＵ」等の文字は、例えば白色に照明されている。ただし、照明する色は適宜設定可能である。
【００２６】
濃淡領域Ｇは、均一領域Ｕと表示領域Ｄとの間に挟まれた領域である。この濃淡領域Ｇも、照明装置によって照明される領域ではあるが、全体が均一に照明される領域ではなく、グラデーションの効果が出るような照明（以下「グラデーション照明」と記載する場合もある。）がなされる領域である。具体的には、濃淡領域Ｇは、均一領域Ｕ側から表示領域Ｄ側に近づくにしたがって照明の光の強度が弱くなっている領域である。このため、濃淡領域Ｇは、均一領域Ｕ側の部分では均一領域Ｕと略同じ色で照明されているのに対して、表示領域Ｄ側の部分では表示領域Ｄの筐体部分と略同じ色になっている。
【００２７】
ここで、操作領域Ｔを照明する構成について具体的に説明する。図４は、カーナビゲーション装置の操作領域Ｔが含まれる部分の各構成を分解した斜視図である。図４に示すように、操作領域Ｔが含まれる部分は、照射部１０と、拡散部２０と、本体部３０と、パネル４０とを有している。この照射部１０と拡散部２０とを重ねたものが照明装置に相当し、この照明装置を本体部３０の開口部分に嵌め込み、本体部３０の表面側にパネル４０を取り付けたものが組立後のカーナビゲーション装置の一部である。
【００２８】
照射部１０は、カーナビゲーション装置の内側から操作領域Ｔを照明するための光を照射するものである。照射部１０は、基板上に発光部材としての複数のＬＥＤが設けられており、このＬＥＤから光を照射させて操作領域Ｔを照明する。また、照射部１０は、ＬＥＤから照射された光の一部を遮断する遮光部を有している。この照射部１０の詳細な構成について後述する。
【００２９】
拡散部２０は、入射した光を拡散するものである。つまり、拡散部２０は、照射部１０のＬＥＤから照射された光を拡散してパネル４０側に出射する。これにより、パネル４０の操作領域Ｔを略均一な光で照明することが可能になる。この拡散部２０の詳細な構成についても後述する。
【００３０】
本体部３０は、カーナビゲーション装置の本体部分の筐体を構成しており、図４に示す本体部３０はその一部である。本体部３０には開口部が設けられており、この開口部は、その裏側から拡散部２０と照射部１０とを嵌め込む空間として用いられる。また、本体部３０の表側にはパネル４０が取り付けられる。
【００３１】
パネル４０は、カーナビゲーション装置の表面側に取り付けられた化粧板であり、図４に示すパネル４０はその一部である。パネル４０は、透明な材料を用いて生成された板状の部材である。また、パネル４０の操作領域Ｔの裏面側（本体部３０側）には、照明によってライトアップしたい色のフィルムが貼り付けられている。例えば、操作領域Ｔを赤色に照明する場合には、パネル４０の操作領域Ｔの裏面側に赤色のフィルムが貼り付けられている。
【００３２】
また、操作領域Ｔは、タッチ式のボタン機能を有しているので、操作領域Ｔにはボタンに対応する文字が見えるようになっている。本実施の形態では、操作領域Ｔの裏面に貼付するフィルムの一部が、対応する文字の形状に切り抜かれている。例えば、フィルムの対応する箇所を「現在地」や「ＭＥＮＵ」等の形状に切り抜いている。これにより、その切り抜かれた部分はＬＥＤの光が直接透過するため、周囲のフィルムが残されている部分と異なる色に照明される。例えば、赤色フィルムと白色ＬＥＤとを用いている場合には、フィルムが貼付された部分は赤色にライトアップされ、「現在地」等の文字の部分が白色で表示されているように見える。
【００３３】
次に、照射部１０の詳細について図を用いて説明する。図５（ａ）は、照射部１０の斜視図であり、図５（ｂ）は、照射部１０の側面図である。
【００３４】
照射部１０は、基板１１と、複数のＬＥＤ１２と、遮光部１３とを有している。これら複数のＬＥＤ１２及び遮光部１３は、基板１１上に設けられている。また、複数のＬＥＤ１２は、基板１１上の端部に長手方向に沿って配置されている。すなわち、複数のＬＥＤ１２は、略直線的に配置されている。なお、本実施の形態では、白色ＬＥＤが用いられているが、これに限定されるものではなく、適宜最適な色のＬＥＤを用いればよい。
【００３５】
遮光部１３は、基板１１上のＬＥＤ１２が配置されている端部とは反対側の端部に、基板１１の長手方向に沿って設けられている。つまり、遮光部１３は、複数のＬＥＤ１２と略平行となるように設けられている。また、遮光部１３は、基板１１の高さ方向及び横方向（基板１１の短手方向）に所定の厚みを有している。つまり、遮光部１３は、所定の高さ及び所定の幅を有している。所定の高さとは、拡散部２０の高さを考慮しつつ、ＬＥＤ１２からの光を遮断するレベルに応じて適宜設定すればよい。本実施の形態では、遮光部１３の一番高い部分は、拡散部２０の高さと略同じである。また、所定の幅は、グラデーション照明を行う幅に合わせて適宜設定すればよい。
【００３６】
また、遮光部１３は、四角柱状の形状をしており、その上部が傾斜した構成を有している。具体的には、遮光部１３の上面が基板１１の端部側からＬＥＤ１２側に向かって（短手方向に向かって）下り勾配で傾斜している構成を有している。なお、この傾斜の角度も適宜設定可能であり、傾斜の角度を変えることで遮光レベルを変えることができる。
【００３７】
また、遮光部１３は、黒色であることが好ましい。遮光部１３は、ＬＥＤ１２からの光を遮断するためのものであるが、黒色とすることが光の遮断に適しているからである。ただし、黒色に限定されるものではなく、他の色でも使用可能である。
【００３８】
このように、基板１１の端部に壁状の部材を設けることで、ＬＥＤ１２から照射された光の一部を拡散部２０に到達する前に遮断することができる。さらに、遮光部１３の上部を傾斜させることにより、全ての光を遮断するのではなく、一部の光を透過させることが可能になる。つまり、この傾斜の角度を適宜調整することで、遮光レベル（光の遮断量又は透過量）を変えることが可能になる。
【００３９】
次に、拡散部２０の詳細について図を用いて説明する。図６(ａ）は、拡散部２０の斜視図であり、図６（ｂ）は、拡散部２０の断面図である。
【００４０】
拡散部２０は、天板２１と側壁２２とを有している。天板２１は、長方形状をした板状の部材であり、照射部１０の基板１１と略同じ形状をしている。また、側壁２２は、天板２１の３辺から略垂直方向に延びた板状の部材である。具体的には、天板２１の１つの長辺には側壁が設けられておらず、他の３辺には設けられている構成である。
【００４１】
そして、この天板２１の側壁２２が設けられていない長辺側の端部は、側壁２２が設けられている長辺側の端部よりも薄くなっている。すなわち、天板２１は、側壁２２がある長辺側の端部から無い長辺側の端部に向かって徐々に薄くなる構成を有している。ただし、天板２１の構成はこれに限定されるものではなく、同じ厚みのものであってもよい。
【００４２】
拡散部２０は、入射した光を乱反射して反対側から出射することが可能な材質を用いて生成されている。このため、拡散部２０は、ＬＥＤ１２側から入射した光を種々の方向に拡散して反対側から出射させることができる。これにより、複数の点光源であるＬＥＤ１２から照射された光を拡散させることができるので、照明ムラをなくし略均一な照明が可能になる。
【００４３】
なお、拡散部２０は、天板２１及び側壁２２を一体成型により生成してもよいし、別々に生成したものを後から一体化して生成してもよい。
【００４４】
照射部１０及び拡散部２０は、使用状態では、図７に示すように、照射部１０のＬＥＤ１２や遮光部１３が設けられている側と、拡散部２０の天板２１の裏面側（側壁２２が設けられている側）とが向きあうように取り付けられる。すなわち、拡散部２０が、照射部１０のＬＥＤ１２や遮光部１３を覆うようになっている。
【００４５】
そして、このようにして照射部１０と拡散部２０とを取り付けた照明装置を本体部３０の開口部に嵌め込んだ使用状態を図８に示す。ＬＥＤ１２から照射された光は拡散部２０にて拡散された後にパネル４０に照射される。この際に、遮光部１３が存在しない部分では、ＬＥＤ１２からの光はほぼ全てパネル４０に照射させることができるのに対して、遮光部１３が存在する部分では、ＬＥＤ１２からの光の大部分が遮断され、傾斜によって生じた隙間に到達した光のみがパネル４０に照射される。
【００４６】
このように、遮光部１３を設けることにより、遮光部１３が無い部分と比較してパネル４０に照射する光の強度を弱くすることができる。さらに、遮光部１３に傾斜を設けていることから、遮光部１３の端部に近づくほど光の強度を弱くすることができる。
【００４７】
すなわち、遮光部１３を設けることで、図３に示すように、遮光部１３が設けられた領域（濃淡領域Ｇ）を、遮光部１３が無い領域（均一領域Ｕ）に比べて暗くすることができるだけでなく、基板１１の端部に向かって（表示領域Ｄ側に向かって）徐々に暗くすることもできる。
【００４８】
したがって、自然な減光を用いることができない程度の小さな照射範囲であっても、遮光部１３のような減光させる部材を設けることでグラデーション照明が可能になる。また、遮光部１３の傾斜を適宜変化させることにより、遮断する（透過させる）光の強度を変化させることが可能になるため、グラデーションの変化を柔軟に変えることもできる。
【００４９】
＜２．第２の実施の形態＞
次に、第２の実施の形態について説明する。第１の実施の形態では、遮光部として、四角柱状の形状でＬＥＤ側の面が平面である遮光部について説明したが他の構成でもよい。例えば、タッチ式のボタン部分が濃淡領域に含まれてしまう場合には、ボタン部分もグラデーション照明されてしまうため、ボタン全体を均一に明るく照明することができない。したがって、このような場合には、ボタン部分だけ濃淡領域に含めない構成の遮光部とすることが好ましい。以下、第１の実施の形態と異なる点を中心に説明し、同じ部分についての説明は省略する場合がある。
【００５０】
図９（ａ）は、第２の実施の形態に係る遮光部１４の斜視図であり、図９（ｂ）は、第２の実施の形態に係る遮光部１４の平面図である。遮光部１４は、第１の実施の形態と同様に、基板１１上のＬＥＤ１２が配置されている端部とは反対側の端部に、基板１１の長手方向に沿って設けられている。また、遮光部１４は、基板１１の高さ方向及び横方向（基板１１の短手方向）に所定の厚みを有している。さらに、遮光部１４は、その上面が基板１１の端部側からＬＥＤ１２側に向かって（短手方向に向かって）下り勾配で傾斜した構成を有している。
【００５１】
本実施の形態の遮光部１４は、ＬＥＤ１２側の面が平面ではなく、凹部１４ａを有している。この凹部１４ａは、遮光部１４のＬＥＤ１２側の面に設けられた矩形状の凹みであり、本実施の形態ではボタンに対応して複数設けられている。
【００５２】
このように、遮光部１４に凹部１４ａを設けることによって、凹部１４ａが設けられた部分と設けられていない部分とで遮光する位置を変えることができる。例えば、ボタンに対応する文字が濃淡領域に含まれてしまう場合に、その部分の遮光部１４に凹部１４ａを設けることで、文字部分は濃淡領域に含めずに他の部分を濃淡領域に含めることが可能になる。
【００５３】
図１０は、ボタンに対応する部分に凹部１４ａを設けた遮光部１４を用いて操作領域Ｔを照明した例を示す図である。図１０に示すように、「現在地」や「ＭＥＮＵ」等の文字の一部が濃淡領域Ｇに含まれているものの、文字の位置に凹部１４ａが設けられていることから遮光されていない。すなわち、濃淡領域Ｇであっても文字部分は均一に照明されている。これに対して、凹部１４ａが設けられていない他の濃淡領域Ｇはグラデーション照明されている。
【００５４】
つまり、本実施の形態のような遮光部１４とすることで、照明範囲が小さい場合であっても、文字部分がグラデーションしてしまうことは回避しつつ、他の部分のグラデーション照明を可能にしている。
【００５５】
＜３．変形例＞
以上、本発明の実施の形態について説明してきたが、この発明は上記各実施の形態に限定されるものではなく様々な変形が可能である。以下では、このような変形例について説明する。上記各実施の形態及び以下で説明する形態を含む全ての形態は、適宜に組み合わせ可能である。
【００５６】
上記実施の形態では、遮光部が四角柱状の形状であるとして説明したが、これに限定されるものではない。例えば、円柱形状であってもよいし、多角柱形状であってもよい。ＬＥＤから照射された光を所望の位置で所望の量だけ遮断することができる形状であればどのような形状であってもよい。
【００５７】
また、上記実施の形態では、遮光部の凹部が矩形状であるとして説明したが、これに限定されるものではない。例えば、丸状や他の形状であってもよい。ボタン部分など、グラデーションを回避したい箇所が濃淡領域に含まれている場合に、濃淡領域に含まれることを避けることができる形状であればどのような形状であってもよい。
【００５８】
また、上記実施の形態では、タッチ式のボタンを表示する方法として、フィルムの対応する部分をボタンの形状に切り抜く構成について説明したがこれに限定されるものではない。例えば、フィルムを切り抜くことはせずに、ボタンの文字をパネルに印刷するなどの構成としてもよい。
【符号の説明】
【００５９】
１０    照射部
１１    基板
１２    ＬＥＤ
１３    遮光部
２０    拡散部
３０    本体部
４０    パネル
【図１】
2016031404.tif 000003
【図２】
2016031404.tif 000004
【図３】
2016031404.tif 000005
【図４】
2016031404.tif 000006
【図５】
2016031404.tif 000007
【図６】
2016031404.tif 000008
【図７】
2016031404.tif 000009
【図８】
2016031404.tif 000010
【図９】
2016031404.tif 000011
【図１０】
2016031404.tif 000012